(57)【要約】      （修正有）【課題】アップリンク又はダウンリンクのＭＵ（マルチユーザ）−ＭＩＭＯ（複数入力複数出力）トランザクションのためのさまざまなパラメータを伝達するのに必要な構造を含む制御メッセージ構造を提供する。【解決手段】制御メッセージ構造３００は、２つの部分を含む。２つの部分は、すべてのＳＴＡ（局）のための制御パラメータを有する第１の部分と、各ＳＴＡに固有の制御パラメータを有する第２の部分とである。構造は、ＡＰ（アクセスポイント）が、ＭＵ−ＭＩＭＯトランザクションの一部である各ＳＴＡに対する十分な情報とともに、単一の制御メッセージを複数の局に送ることを可能にする。したがって、単一のフレーム構造は、アップリンク及びダウンリンクのＭＵ−ＭＩＭＯ通信の両方に対して、効果的に動作する。【選択図】図３
2015208017.tif 000002
【特許請求の範囲】
【請求項１】
ワイヤレス通信のための方法において、
単一のフレーム中で、複数のワイヤレスノードに対する送信パラメータを指定することと、
前記単一のフレームを送信することとを含む方法。
【請求項２】
前記送信パラメータは、
前記複数のワイヤレスノードに対して向けられている情報を含む第１の部分と、
前記複数のワイヤレスノードのそれぞれに対して特に識別されている情報を含む第２の部分とを含む請求項１記載の方法。
【請求項３】
前記第１の部分は、
ａ．タイプフィールドと、
ｂ．前記タイプフィールドに基づく時間値を有する時間持続フィールドと、
ｃ．積重ねられたＣＴＳフィールドと、
ｄ．ＭＵ−ＭＩＭＯサウンディングフィールドと、
ｅ．ＣＡＬフィールドと、
ｆ．拡張ＣＰフィールドと、
ｇ．周波数オフセット存在フィールドと、
ｈ．ＣＬ電力制御フィールドと、
ｉ．レンジングフィールドと、
ｊ．ＭＣＳフィールドと、
ｋ．ＯＬ電力制御フィールドと、
のうちの少なくとも１つを含む請求項２記載の方法。
【請求項４】
前記第２の部分は、
ａ．ＳＴＡ ＩＤフィールドと、
ｂ．ストリーム量フィールドと、
ｃ．Ｓｅｎｄ ＣＴＳフィールドと、
ｄ．Ｓｅｎｄ ＳＮＤフィールドと、
ｅ．Ｓｅｎｄ ＣＱＩフィールドと、
ｆ．周波数オフセット補正フィールドと、
ｇ．電力制御フィールドと、
ｈ．レンジング時間オフセットフィールドと、
ｉ．ＭＣＳフィールドと、
ｊ．バックオフカウンタフィールドと、
ｋ．送信時間フィールドと、
のうちの少なくとも１つを含む請求項２記載の方法。
【請求項５】
前記送信パラメータは、前記複数のワイヤレスノードのうちの少なくとも１つに対する補正情報を含む請求項１記載の方法。
【請求項６】
前記送信は、前記複数のワイヤレスノードのうちの少なくとも１つに対する周波数オフセット情報を含む請求項１記載の方法。
【請求項７】
前記送信は、前記複数のワイヤレスノードのうちの少なくとも１つに対する電力制御情報を含む請求項１記載の方法。
【請求項８】
前記送信パラメータは、ＭＵ−ＭＩＭＯパラメータを含む請求項１記載の方法。
【請求項９】
ワイヤレス通信のための装置において、
単一のフレーム中で、複数のワイヤレスノードに対する送信パラメータを指定し、前記単一のフレームを送信するように構成されている処理システムを具備する装置。
【請求項１０】
前記送信パラメータは、
前記複数のワイヤレスノードに対して向けられている情報を含む第１の部分と、
前記複数のワイヤレスノードのそれぞれに対して特に識別されている情報を含む第２の部分とを含む請求項９記載の装置。
【請求項１１】
前記第１の部分は、
ａ．タイプフィールドと、
ｂ．前記タイプフィールドに基づく時間値を有する時間持続フィールドと、
ｃ．積重ねられたＣＴＳフィールドと、
ｄ．ＭＵ−ＭＩＭＯサウンディングフィールドと、
ｅ．ＣＡＬフィールドと、
ｆ．拡張ＣＰフィールドと、
ｇ．周波数オフセット存在フィールドと、
ｈ．ＣＬ電力制御フィールドと、
ｉ．レンジングフィールドと、
ｊ．ＭＣＳフィールドと、
ｋ．ＯＬ電力制御フィールドと、
のうちの少なくとも１つを含む請求項１０記載の装置。
【請求項１２】
前記第２の部分は、
ａ．ＳＴＡ ＩＤフィールドと、
ｂ．ストリーム量フィールドと、
ｃ．Ｓｅｎｄ ＣＴＳフィールドと、
ｄ．Ｓｅｎｄ ＳＮＤフィールドと、
ｅ．Ｓｅｎｄ ＣＱＩフィールドと、
ｆ．周波数オフセット補正フィールドと、
ｇ．電力制御フィールドと、
ｈ．レンジング時間オフセットフィールドと、
ｉ．ＭＣＳフィールドと、
ｊ．バックオフカウンタフィールドと、
ｋ．送信時間フィールドと、
のうちの少なくとも１つを含む請求項１０記載の装置。
【請求項１３】
前記送信パラメータは、前記複数のワイヤレスノードのうちの少なくとも１つに対する補正情報を含む請求項９記載の装置。
【請求項１４】
前記送信は、前記複数のワイヤレスノードのうちの少なくとも１つに対する周波数オフセット情報を含む請求項９記載の装置。
【請求項１５】
前記送信は、前記複数のワイヤレスノードのうちの少なくとも１つに対する電力制御情報を含む請求項９記載の装置。
【請求項１６】
前記送信パラメータは、ＭＵ−ＭＩＭＯパラメータを含む請求項９記載の装置。
【請求項１７】
ワイヤレス通信のための装置において、
単一のフレーム中で、複数のワイヤレスノードに対する送信パラメータを指定する手段と、
前記単一のフレームを送信する手段とを具備する装置。
【請求項１８】
前記送信パラメータは、
前記複数のワイヤレスノードに対して向けられている情報を含む第１の部分と、
前記複数のワイヤレスノードのそれぞれに対して特に識別されている情報を含む第２の部分とを含む請求項１７記載の装置。
【請求項１９】
前記第１の部分は、
ａ．タイプフィールドと、
ｂ．前記タイプフィールドに基づく時間値を有する時間持続フィールドと、
ｃ．積重ねられたＣＴＳフィールドと、
ｄ．ＭＵ−ＭＩＭＯサウンディングフィールドと、
ｅ．ＣＡＬフィールドと、
ｆ．拡張ＣＰフィールドと、
ｇ．周波数オフセット存在フィールドと、
ｈ．ＣＬ電力制御フィールドと、
ｉ．レンジングフィールドと、
ｊ．ＭＣＳフィールドと、
ｋ．ＯＬ電力制御フィールドと、
のうちの少なくとも１つを含む請求項１８記載の装置。
【請求項２０】
前記第２の部分は、
ａ．ＳＴＡ ＩＤフィールドと、
ｂ．ストリーム量フィールドと、
ｃ．Ｓｅｎｄ ＣＴＳフィールドと、
ｄ．Ｓｅｎｄ ＳＮＤフィールドと、
ｅ．Ｓｅｎｄ ＣＱＩフィールドと、
ｆ．周波数オフセット補正フィールドと、
ｇ．電力制御フィールドと、
ｈ．レンジング時間オフセットフィールドと、
ｉ．ＭＣＳフィールドと、
ｊ．バックオフカウンタフィールドと、
ｋ．送信時間フィールドと、
のうちの少なくとも１つを含む請求項１８記載の装置。
【請求項２１】
前記送信パラメータは、前記複数のワイヤレスノードのうちの少なくとも１つに対する補正情報を含む請求項１７記載の装置。
【請求項２２】
前記送信は、前記複数のワイヤレスノードのうちの少なくとも１つに対する周波数オフセット情報を含む請求項１７記載の装置。
【請求項２３】
前記送信は、前記複数のワイヤレスノードのうちの少なくとも１つに対する電力制御情報を含む請求項１７記載の装置。
【請求項２４】
前記送信パラメータは、ＭＵ−ＭＩＭＯパラメータを含む請求項１７記載の装置。
【請求項２５】
ワイヤレス通信のためのコンピュータプログラムプロダクトにおいて、
単一のフレーム中で、複数のワイヤレスノードに対する送信パラメータを指定し、前記単一のフレームを送信するように実行可能な命令を含む機械読み取り可能媒体を具備するコンピュータプログラムプロダクト。
【請求項２６】
アクセスポイントにおいて、
１つ以上のアンテナと、
単一のフレーム中で、複数のワイヤレスノードに対する送信パラメータを指定するように構成されているプロセッサと、
前記１つ以上のアンテナを使用して、前記単一のフレームを送信するように構成されている送信機とを具備するアクセスポイント。
【請求項２７】
ワイヤレス通信のための方法において、
複数のワイヤレスノードに対する送信パラメータを含んでいる単一のフレームを受信することと、
前記送信パラメータのうちの少なくとも１つに基づいて、情報を送信することとを含む方法。
【請求項２８】
前記送信パラメータは、送信の順序を含む請求項２７記載の方法。
【請求項２９】
前記送信パラメータは、空間ストリーム識別子を含む請求項２７記載の方法。
【請求項３０】
前記空間ストリーム識別子は、送信の順序に基づいている請求項２９記載の方法。
【請求項３１】
前記送信パラメータは、バックオフカウンタ値を含み、前記バックオフカウンタ値に基づいて、送信をめぐって競合することをさらに含む請求項２７記載の方法。
【請求項３２】
前記送信をめぐって競合することは、多数のアイドルスロットに対する送信を遅らせることを含む請求項３１記載の方法。
【請求項３３】
前記送信パラメータは、送信時間を含み、前記情報の送信は、前記送信時間において情報を送信することを含む請求項２７記載の方法。
【請求項３４】
前記送信パラメータは、
前記複数のワイヤレスノードに対して向けられている情報を含む第１の部分と、
前記複数のワイヤレスノードのそれぞれに対して特に識別されている情報を含む第２の部分とを含む請求項２７記載の方法。
【請求項３５】
ワイヤレス通信のための装置において、
少なくとも１つのワイヤレスノードと前記装置とに対する送信パラメータを含んでいる単一のフレームを受信し、前記送信パラメータのうちの少なくとも１つに基づいて、情報を送信するように構成されている処理システムを具備する装置。
【請求項３６】
前記送信パラメータは、送信の順序を含む請求項３５記載の装置。
【請求項３７】
前記送信パラメータは、空間ストリーム識別子を含む請求項３５記載の装置。
【請求項３８】
前記空間ストリーム識別子は、送信の順序に基づいている請求項３７記載の装置。
【請求項３９】
前記送信パラメータは、バックオフカウンタ値を含み、前記処理システムは、前記バックオフカウンタ値に基づいて、送信をめぐって競合するようにさらに構成されている請求項３５記載の装置。
【請求項４０】
前記処理システムは、多数のアイドルスロットに対する送信を遅らせるようにさらに構成されている請求項３９記載の装置。
【請求項４１】
前記送信パラメータは、送信時間を含み、前記処理システムは、前記送信時間において情報を送信するようにさらに構成されている請求項３５記載の装置。
【請求項４２】
前記送信パラメータは、
前記少なくとも１つのワイヤレスノードと前記装置とに対して向けられている情報を含む第１の部分と、
前記少なくとも１つのワイヤレスノードと、前記装置とのそれぞれに対して特に識別されている情報を含む第２の部分とを含む請求項３５記載の装置。
【請求項４３】
ワイヤレス通信のための装置において、
少なくとも１つのワイヤレスノードと前記装置とに対する送信パラメータを含んでいる単一のフレームを受信する手段と、
前記送信パラメータのうちの少なくとも１つに基づいて、情報を送信する手段とを具備する装置。
【請求項４４】
前記送信パラメータは、送信の順序を含む請求項４３記載の装置。
【請求項４５】
前記送信パラメータは、空間ストリーム識別子を含む請求項４３記載の装置。
【請求項４６】
前記空間ストリーム識別子は、送信の順序に基づいている請求項４５記載の装置。
【請求項４７】
前記送信パラメータは、バックオフカウンタ値を含み、前記バックオフカウンタ値に基づいて、送信をめぐって競合するように構成されている競合手段をさらに具備する請求項４３記載の装置。
【請求項４８】
多数のアイドルスロットに対する送信を遅らせる延期手段をさらに具備する請求項４７記載の装置。
【請求項４９】
前記送信パラメータは、送信時間を含み、前記処理システムは、前記送信時間において情報を送信するようにさらに構成されている請求項４３記載の装置。
【請求項５０】
前記送信パラメータは、
前記少なくとも１つのワイヤレスノードと前記装置とに対して向けられている情報を含む第１の部分と、
前記少なくとも１つのワイヤレスノードと、前記装置とのそれぞれに対して特に識別されている情報を含む第２の部分とを含む請求項４３記載の装置。
【請求項５１】
ワイヤレス通信のためのコンピュータプログラムプロダクトにおいて、
複数のワイヤレスノードに対する送信パラメータを含んでいる単一のフレームを受信し、前記送信パラメータのうちの少なくとも１つに基づいて、情報を送信するように実行可能な命令を含む機械読み取り可能媒体を具備するコンピュータプログラムプロダクト。
【請求項５２】
アクセス端末において、
１つ以上のアンテナと、
少なくとも１つのワイヤレスノードと前記アクセス端末とに対する送信パラメータを含んでいる単一のフレームを受信するように構成されている受信機と、
前記送信パラメータのうちの少なくとも１つに基づいて、前記１つ以上のアンテナを使用して、情報を送信するように構成されている送信機とを具備するアクセス端末。
【請求項５３】
電子カードにおいて、
少なくとも１つのワイヤレスノードと前記電子カードとに対する送信パラメータを含んでいる単一のフレームを受信するように構成されている受信機と、
前記送信パラメータのうちの少なくとも１つに基づいて、情報を送信するように構成されている送信機とを具備する電子カード。
【発明の詳細な説明】
【関連出願に対する相互参照】
【０００１】
合衆国法典第３５部第１１９条に基づく優先権の主張
特許に対する本出願は、２００９年６月２９日に出願され、本出願の譲受人に譲渡され、参照により明白にここに組み込まれている、“マルチステーション要求メッセージのための方法および装置”と題する仮出願第６１／２２１，３６２号に対する優先権を主張する。
【分野】
【０００２】
以下の説明は一般に、通信システムに関し、より詳細には、マルチステーション要求メッセージのための方法および装置に関する。
【背景】
【０００３】
ワイヤレス通信システムに対して要望される帯域幅要求の増加の問題に対処するために、チャネルリソースを共有することにより、複数のユーザ端末が単一のアクセスポイントと通信することを可能にする一方で、高データスループットを達成するように、異なるスキームが開発されている。複数入力複数出力（ＭＩＭＯ）技術は、次世代通信システムのための人気のある技術として近年登場してきたこのような１つのアプローチを表している。ＭＩＭＯ技術は、米国電気電子学会（ＩＥＥＥ）８０２．１１標準規格のような、いくつかの新興のワイヤレス通信標準規格において採用されている。ＩＥＥＥ８０２．１１は、短距離通信（例えば、数十メートルから数百メートル）のためにＩＥＥＥ８０２．１１委員会により開発された１組のワイヤレスローカルエリアネットワーク（ＷＬＡＮ）エアインターフェース標準規格を表す。
【０００４】
ワイヤレス通信システムにおいて、エアリンク媒体により提供されるいくつかの自由な次元を活用するように動作するよう、媒体アクセス（ＭＡＣ）プロトコルが設計されている。最も一般的に活用される自由な次元は、時間および周波数である。例えば、ＩＥＥＥ８０２．１１ ＭＡＣプロトコルでは、ＣＳＭＡ（搬送波感知多元接続）により、“時間”の自由な次元が活用される。ＣＳＭＡプロトコルは、潜在的な高い干渉の期間の間に、確実に１つの送信だけが起こるように試みる。同様に、異なる周波数チャネルを使用することにより、“周波数”の自由な次元を活用することができる。
【０００５】
最近の開発は、既存の容量を増加させるために、または、少なくともより効率的に使用するために使用される実行可能なオプションである次元として、空間を招来している。同時送信および受信のために複数の端末をスケジューリングすることにより、エアリンクの利用を改善するために、空間分割多元接続（ＳＤＭＡ）を使用することができる。空間ストリームを使用して、端末のそれぞれにデータが送られる。例えば、ＳＤＭＡにより、送信機は、個々の受信機に対する直交ストリームを形成する。送信機は、いくつかのアンテナと、いくつかのパスからなる送信／受信チャネルとを有しているので、このような直交ストリームを形成することができる。受信機はまた、１つ以上のアンテナ（ＭＩＭＯ、ＳＩＭＯ）を有していてもよい。この例では、送信機はアクセスポイント（ＡＰ）であり、受信機は局（ＳＴＡ）であると仮定する。例えば、ＳＴＡ−Ｂをターゲットとするストリームが、ＳＴＡ−Ｃ、ＳＴＡ−Ｄ、．．．、等においては低電力干渉として見なされるようにストリームが形成され、これは、著しい干渉を引き起こさず、たいがいは無視されるだろう。これらの直交ストリームを形成するために、ＡＰは、受信ＳＴＡのそれぞれからのチャネル状態情報（ＣＳＩ）を有している必要がある。いくつかの方法でＣＳＩを測定し、通信することができ、それにより、複雑さが加わるが、ＣＳＩの使用は、ＳＤＭＡストリームのコンフィギュレーションを最適化するだろう。
【０００６】
ＭＩＭＯがマルチユーザ（ＭＵ）システムに適用されるときに、追加の複雑さが発生する。例えば、ＭＵ−ＭＩＭＯ通信におけるダウンリンクおよびアップリンクのプロトコルは、ダウンリンクまたはアップリンクのＭＵ−ＭＩＭＯエポックを開始するために、制御メッセージを必要とする。制御メッセージは、制御およびデータメッセージを送り、リソースを割り振るために、スケジューリングで作動する必要がある。
【０００７】
したがって、上述した欠点のうちの１つ以上に対処することが望まれる。
【概要】
【０００８】
１つ以上の観点の基本的な理解を提供するために、以下の記述は、そのような観点の単純化した概要を与える。この概要は、考えられるすべての観点の広範な概観ではなく、すべての観点の主なまたは重要な要素を識別するようにも、いくつかのまたはすべての観点の範囲を詳細に描写するようにも向けられていない。その唯一の目的は、後に与えられるより詳細な説明に対するプレリュードとして、単純化した形態で１つ以上の観点のいくつかの概念を与えることである。
【０００９】
さまざまな観点にしたがうと、主題の技術革新は、ワイヤレス通信を提供する装置および方法に関し、ワイヤレス通信のための方法は、単一のフレーム中で、複数のワイヤレスノードに対する送信パラメータを指定することと、単一のフレームを送信することとを含む。
【００１０】
別の観点において、単一のフレーム中で、複数のワイヤレスノードに対する送信パラメータを指定し、単一のフレームを送信するように構成されている処理システムを含む、ワイヤレス通信のための装置を提供する。
【００１１】
さらに別の観点において、単一のフレーム中で、複数のワイヤレスノードに対する送信パラメータを指定する手段と、単一のフレームを送信する手段とを含む、ワイヤレス通信のための装置を提供する。
【００１２】
さらに別の観点において、単一のフレーム中で、複数のワイヤレスノードに対する送信パラメータを指定し、単一のフレームを送信するように実行可能な命令を含む機械読み取り可能媒体を備える、ワイヤレス通信のためのコンピュータプログラムプロダクトを提供する。
【００１３】
さらに別の観点において、１つ以上のアンテナと、単一のフレーム中で、複数のワイヤレスノードに対する送信パラメータを指定するように構成されているプロセッサと、１つ以上のアンテナを使用して、単一のフレームを送信するように構成されている送信機とを有するアクセスポイントを提供する。
【００１４】
さらに別の観点において、複数のワイヤレスノードに対する送信パラメータを含んでいる単一のフレームを受信することと、送信パラメータのうちの少なくとも１つに基づいて、情報を送信することとを含む、ワイヤレス通信のための方法を提供する。
【００１５】
さらに別の観点において、少なくとも１つのワイヤレスノードと装置とに対する送信パラメータを含んでいる単一のフレームを受信し、送信パラメータのうちの少なくとも１つに基づいて、情報を送信するように構成されている処理システムを備える、ワイヤレス通信のための装置を提供する。
【００１６】
さらに別の観点において、少なくとも１つのワイヤレスノードと装置とに対する送信パラメータを含んでいる単一のフレームを受信する手段と、送信パラメータのうちの少なくとも１つに基づいて、情報を送信する手段とを備える、ワイヤレス通信のための装置を提供する。
【００１７】
さらに別の観点において、複数のワイヤレスノードに対する送信パラメータを含んでいる単一のフレームを受信し、送信パラメータのうちの少なくとも１つに基づいて、情報を送信するように実行可能な命令を含む機械読み取り可能媒体を備える、ワイヤレス通信のためのコンピュータプログラムプロダクトを提供する。
【００１８】
さらに別の観点において、１つ以上のアンテナと、少なくとも１つのワイヤレスノードとアクセス端末とに対する送信パラメータを含んでいる単一のフレームを受信するように構成されている受信機と、送信パラメータのうちの少なくとも１つに基づいて、１つ以上のアンテナを使用して、情報を送信するように構成されている送信機とを備える、アクセス端末を提供する。
【００１９】
さらに別の観点において、少なくとも１つのワイヤレスノードと電子カードとに対する送信パラメータを含んでいる単一のフレームを受信するように構成されている受信機と、送信パラメータのうちの少なくとも１つに基づいて、情報を送信するように構成されている送信機とを備える、電子カードを提供する。
【００２０】
先のおよび関連する目的を達成するために、１つ以上の観点は、以下で十分に記述し、特に特許請求の範囲において示す特徴を備えている。以下の記述および添付図面は、１つ以上の観点のいくつかの例示的な観点を詳細に示す。しかしながら、これらの観点は、さまざまな観点の原理を用いることができるさまざまな方法のうちのほんのいくつかを表すにすぎず、記述した観点は、このようなすべての観点およびそれらの均等物を含むように向けられている。
【図面の簡単な説明】
【００２１】
【図１】図１は、本開示の観点にしたがって構成されているワイヤレス通信ネットワークのダイヤグラムである。
【図２】図２は、図１のワイヤレス通信ネットワーク中のワイヤレスノードにおいてフロントエンド処理システムを備えるワイヤレスノードである。
【図３】図３は、本開示の１つの観点にしたがって構成されている制御メッセージフレームのダイヤグラムである。
【図４】図４は、本開示の１つの観点にしたがって構成されている、図３の制御メッセージフレームの第１の部分のダイヤグラムである。
【図５】図５は、本開示の１つの観点にしたがって構成されている、図３の制御メッセージフレームの第２の部分のダイヤグラムである。
【図６】図６は、図３の制御メッセージフレームに基づいた、暗示のフィードバックを有するＳＤＭＡプロトコルの動作を図示するタイミングダイヤグラムである。
【図７】図７は、複数の送信可（ＣＴＳ）送信の同時送信を含む、図３の制御メッセージフレームに基づいた、暗示のフィードバックを有するＳＤＭＡプロトコルの動作を図示するタイミングダイヤグラムである。
【図８】図８は、複数の送信可（ＣＴＳ）送信の逐次送信を含む、図３の制御メッセージフレームに基づいた、暗示のフィードバックを有するＳＤＭＡプロトコルの動作を図示するタイミングダイヤグラムである。
【図９】図９は、図３の制御メッセージフレームに基づいた、明示のＣＳＩフィードバックを有するＳＤＭＡプロトコルの動作を図示するタイミングダイヤグラムである。
【図１０】図１０は、図３の制御メッセージフレームに含まれている情報に基づく空間ストリーム割り振りにより決定された、ＳＤＭＡプリアンブルと制御情報とを含むサウンディングフレームのダイヤグラムである。
【図１１】図１１は、本開示の１つの観点にしたがってデータストリームをエンコードする装置の機能性を説明するブロックダイヤグラムである。
【図１２】図１２は、本開示の１つの観点にしたがってチャネル情報を戻す装置の機能性を説明するブロックダイヤグラムである。
【詳細な説明】
【００２２】
添付の図面を参照して、下記で、新規のシステム、装置、および方法のさまざまな態様をさらに完全に説明する。しかしながら、開示の教示は、多くの異なる形態で具現化してもよく、本開示全体を通して提示する何らかの特定の構造または機能に限定されるものとして解釈すべきではない。むしろ、本開示が完全で完璧になるようにこれらの態様が提供され、これらの態様は、当業者に本開示の範囲を十分に伝えるだろう。本発明の他の何らかの態様とは独立して実現されるか、または、本発明の他の何らかの態様と組み合わせて実現されるかにかかわらず、本開示の範囲が、ここで開示する新規のシステム、装置、および方法の何らかの態様をカバーすることを意図していることを、ここでの教示に基づいて当業者は正しく認識すべきである。例えば、ここで述べる任意の数の態様を使用して、装置を実現してもよく、または、方法を実施してもよい。加えて、本発明の範囲は、ここで述べる発明のさまざまな態様に加えて、もしくは、ここで述べる発明のさまざまな態様以外に、他の構造、機能性、あるいは、構造および機能性を使用して実施されるこのような装置もしくは方法をカバーすることを意図している。ここで開示する何らかの態様は、特許請求の範囲のうちの１つ以上のエレメントにより具現化してもよいことを理解すべきである。
【００２３】
ダウンリンクおよびアップリンクのＭＵ−ＭＩＭＯプロトコルは、ダウンリンクまたはアップリンクのＭＵ−ＭＩＭＯエポックを開始するために制御メッセージを必要とする。通常、制御メッセージは、以下のようなパラメータを含んでいるはずである。
【００２４】
１．アップリンクサウンディングのためのスケジュール；
２．アップリンクデータのためのスケジュール；および、
３．（チャネル推定および／または周波数オフセットのようなものを改良するための、ＳＴＡに対する補正情報を含むはずである）空間ストリームの割り振り。
【００２５】
さらに、さまざまな構成は、（例えば、送信可（ＣＴＳ）メッセージの送信を含む）ＳＴＡによる媒体の予約や、（特定の電力オフセットをいくつかのＳＴＡに割り当てることを含む）正確な電力制御のような特徴をサポートする必要があるであろう。
【００２６】
本開示の１つの観点において、アップリンクまたはダウンリンクのＭＵ−ＭＩＭＯトランザクションのためのさまざまなパラメータを伝達するのに必要な特徴を含む制御メッセージシステムを提供する。システムにより、ＡＰは、ＭＵ−ＭＩＭＯトランザクションの一部である各局に対する十分な情報とともに、単一のメッセージを複数の局に送ることが可能になる。この単一のフレームフォーマットは、それが、アップリンクおよびダウンリンクのＭＵ−ＭＩＭＯ通信の両方に対して、効果的に動作できように設計される。制御メッセージは、ＰＨＹ−レイヤユニットに含めることができるＭＡＣパケット（ヘッダおよびペイロード）とすることができる。
【００２７】
図１を参照して、制御メッセージシステムを実現してもよいワイヤレスネットワークのいくつかの観点をここで提示する。ここでは基本サービスセット（ＢＳＳ）１００としても呼ばれるワイヤレスネットワークが、一般的にアクセスポイント１１０ならびに複数のアクセス端末または局（ＳＴＡ）１２０として示されるいくつかのワイヤレスノードにより示されている。各ワイヤレスノードは、受信および／または送信が可能である。以下に続く詳細な説明では、ダウンリンク通信に対しては、送信ノードを示すために“アクセスポイント”という用語を使用し、受信ノードを示すために“アクセス端末” という用語を使用するのに対し、アップリンク通信に対しては、受信ノードを示すために“アクセスポイント”という用語を使用し、送信ノードを示すために“アクセス端末”という用語を使用する。しかしながら、アクセスポイントおよび／またはアクセス端末に対して他の専門用語または専門語を使用してもよいことを当業者は容易に理解するだろう。例として、アクセスポイントは、基地局、基地トランシーバ局、局、端末、ノード、アクセスポイントとして動作するアクセス端末、または、他の何らかの適切な専門用語として呼ぶことがある。アクセス端末は、ユーザ端末、移動局、加入者局、局、ワイヤレスデバイス、端末、ノード、または、他の何らかの適切な専門用語として呼ぶことがある。本開示全体を通して説明するさまざまな概念は、それらの特定の専門語に関係なく、すべての適切なワイヤレスノードに適用することを意図している。
【００２８】
ワイヤレスネットワーク１００は、アクセス端末１２０に対するカバレッジを提供するために、地理的な領域全体を通して分散されている任意の数のアクセスポイントをサポートしてもよい。システム制御装置１３０を使用して、アクセスポイントの調整および制御を行うとともに、アクセス端末１２０に対して他のネットワーク（例えば、インターネット）へのアクセスを提供してもよい。簡潔さのために、１つのアクセスポイント１１０が示されている。アクセスポイントは、一般的に、カバレッジの地理的な領域中のアクセス端末にバックホールサービスを提供する固定端末である。しかしながら、アクセスポイントは、何らかの応用では、移動性のものであってもよい。固定のものまたは移動性のものであってもよいアクセス端末は、アクセスポイントのバックホールサービスを利用するか、または、他のアクセス端末とのピア・ツー・ピア通信に携わる。アクセス端末の例は、電話機（例えば、セルラ電話機）、ラップトップコンピュータ、デスクトップコンピュータ、パーソナルデジタルアシスタント（ＰＤＡ）、デジタルオーディオプレーヤー（例えば、ＭＰ３プレーヤー）、カメラ、ゲームコンソール、または、他の何らかの適切なワイヤレスノードを含む。
【００２９】
ワイヤレスネットワーク１００は、ＭＩＭＯ技術をサポートしてもよい。ＭＩＭＯ技術を使用して、アクセスポイント１１０は、空間分割多元接続（ＳＤＭＡ）を使用して、複数のアクセス端末１２０と同時に通信してもよい。ＳＤＭＡは、同じ周波数チャネルを共有し、結果として、より高いユーザ容量を提供するために、異なる受信機に同時に複数のストリームを送信することを可能にする多元接続スキームである。各データストリームを空間的にプリコーディングし、その後、ダウンリンク上で異なる送信アンテナを通して、空間的にプリコーディングされた各ストリームを送信することにより、これは達成される。空間的にプリコーディングされたデータストリームは、異なる空間シグニチャを持つアクセス端末に到着し、これにより、各アクセス端末１２０が、そのアクセス端末１２０に対して向けられたデータストリームを回復することが可能になる。アップリンク上では、各アクセス端末１２０が、空間的にプリコーディングされたデータストリームを送信し、これにより、アクセスポイント１１０が、空間的にプリコーディングされた各データストリームのソースを識別することが可能になる。ここでは“プリコーディング”という用語を使用するが、一般的に、データストリームの、プリコーディング、エンコーディング、デコーディング、および／または、ポストコーディングのプロセスを含むように、“コーディング”という用語を使用してもよいことにも留意すべきである。
【００３０】
ある機能性をイネーブルするために、１つ以上のアクセス端末１２０には、複数のアンテナが装備されている。このコンフィギュレーションでは、例えば、アクセスポイント１１０における複数のアンテナを使用して、複数のアンテナのアクセスポイントと通信して、付加的な帯域幅または送信電力なしでデータスループットを向上させることができる。送信機における高データレート信号を、異なる空間シグニチャを持つ複数のより低いレートのデータストリームに分けることにより、これを達成してもよく、したがって、受信機が、これらのストリームを複数のチャネルに分離し、ストリームを適切に合成して、高レートのデータ信号を回復することが可能になる。
【００３１】
以下の開示の一部は、ＭＩＭＯ技術もサポートするアクセス端末を説明するが、ＭＩＭＯ技術をサポートしないアクセス端末をサポートするようにも、アクセスポイント１１０を構成してもよい。このアプローチにより、より古いバージョンのアクセス端末（すなわち、”レガシー”端末）を、ワイヤレスネットワーク中に配置したままにし、それらの耐用寿命を延ばすことを可能にする一方で、より新しいＭＩＭＯアクセス端末を適宜導入することが可能になる。
【００３２】
以下に続く詳細な説明では、直交周波数分割多重化（ＯＦＤＭ）のような、何らかの適切なワイヤレス技術をサポートするＭＩＭＯシステムを参照して、本開示のさまざまな観点を説明する。ＯＦＤＭは、正確な周波数において間隔が空けられている多数の副搬送波にわたってデータを配信する拡散スペクトル技術である。間隔を空けることは、受信機が副搬送波からデータを回復することを可能にする“直交性”を提供する。ＯＦＤＭシステムは、ＩＥＥＥ８０２．１１または他の何らかのエアインターフェース標準規格を実現してもよい。他の適切なワイヤレス技術は、例として、コード分割多元接続（ＣＤＭＡ）、時分割多元接続（ＴＤＭＡ）、または、他の何らかの適切なワイヤレス技術、あるいは、適切なワイヤレス技術の何らかの組み合わせを含んでいる。ＣＤＭＡシステムは、ＩＳ−２０００、ＩＳ−９５、ＩＳ−８５６、ワイドバンドＣＤＭＡ（ＷＣＤＭＡ（登録商標））、または、他の何らかの適切なエアインターフェース標準規格を実現してもよい。ＴＤＭＡシステムは、グローバルシステムフォーモバイルコミュニケーション（ＧＳＭ（登録商標））、または、他の何らかの適切なエアインターフェース標準規格を実現してもよい。本開示のさまざまな観点が、何らかの特定のワイヤレス技術および／またはエアインターフェース標準規格に限定されないことを当業者は容易に正しく認識するだろう。
【００３３】
図２は、ＰＨＹレイヤの信号処理機能の例を示す概念的なブロックダイヤグラムである。送信モードでは、ＴＸデータプロセッサ２０２を使用して、ＭＡＣレイヤからデータを受け取り、受信ノードにおいて順方向誤り訂正（ＦＥＣ）を促進するために、データをエンコード（例えば、ターボコード）してもよい。エンコーディング処理は、結果としてコードシンボルのシーケンスをもたらし、コードシンボルのシーケンスは、共にブロック化され、ＴＸデータプロセッサ２０２により信号配列にマッピングされて、変調シンボルのシーケンスが生成される。
【００３４】
ＯＦＤＭを実現するワイヤレスノードにおいて、ＴＸデータプロセッサ２０２からの変調シンボルを、変調シンボルの空間処理を実行するＴＸ空間プロセッサ２０４に提供してもよい。これは、変調シンボルをＯＦＤＭ変調器２０６に提供する前に、変調シンボルを空間プリコードすることによって、達成され得る。
【００３５】
ＯＦＤＭ変調器２０６は、変調シンボルを並列ストリームに分ける。各ストリームは、その後、ＯＦＤＭ副搬送波にマッピングされ、そして、逆高速フーリエ変換（ＩＦＦＴ）を使用して共に合成され、時間ドメインＯＦＤＭストリームが生成される。空間的にプリコーディングされた各ＯＦＤＭストリームは、その後、それぞれのトランシーバ２０８ａないし２０８ｎを介して、異なるアンテナ２１０ａないし２１０ｎに提供される。各トランシーバ２０８ａないし２０８ｎは、ワイヤレスチャネルを通しての送信のために、それぞれのプリコーディングされたストリームによりＲＦ搬送波を変調する。
【００３６】
受信モードでは、各トランシーバ２０８ａないし２０８ｎは、そのそれぞれのアンテナ２１０ａないし２１０ｎを通して信号を受信する。各トランシーバ２０８ａないし２０８ｎを使用して、ＲＦ搬送波上に変調された情報を回復し、ＯＦＤＭ復調器２２０に情報を提供してもよい。
【００３７】
ＯＦＤＭを実現するワイヤレスノードでは、トランシーバ２０８ａないし２０８ｎからのストリーム（または、合成されたストリーム）が、ＯＦＤＭ復調器２２０に提供される。ＯＦＤＭ復調器２２０は、高速フーリエ変換（ＦＦＴ）を使用して、ストリーム（または、合成されたストリーム）を時間ドメインから周波数ドメインにコンバートする。周波数ドメイン信号は、ＯＦＤＭ信号の各副搬送波に対して別個のストリームを含んでいる。ＯＦＤＭ復調器２２０は、各副搬送波上で搬送されたデータ（すなわち、変調シンボル）を回復し、ＲＸ空間プロセッサ２２２にストリームを送る前に、変調シンボルのストリーム中にデータを多重化する。
【００３８】
ＲＸ空間プロセッサ２２２は、ワイヤレスノード２００に対して向けられた何らかの空間ストリームを回復するために、情報上で空間処理を実行する。チャネル相関行列反転（ＣＣＭＩ）、最小平均二乗誤差（ＭＭＳＥ）、ソフト干渉消去（ＳＩＣ）、または、他の何らかの適切な技術にしたがって、空間処理を実行してもよい。複数の空間ストリームがワイヤレスノード２００に対して向けられている場合には、ＲＸ空間プロセッサ２２２によりそれらを合成してもよい。
【００３９】
ＲＸデータプロセッサ２２４を使用して、変調シンボルを翻訳して信号配列中の正しいポイントに戻してもよい。ワイヤレスチャネル中のノイズおよび他の妨害のために、変調シンボルは、本来の信号配列中のポイントのまさにその位置に対応していないことがある。ＲＸデータプロセッサ２２４は、受信したポイントと、信号配列中の有効なシンボルの位置との間の最短距離を見つけることにより、どの変調シンボルが送信された可能性が最も高いかを検出する。例えば、ターボコードのケースでは、所定の変調シンボルに関係付けられているコードシンボルの対数尤度比（ＬＬＲ）を計算するために、これらの軟判定を使用してもよい。その後、ＲＸデータプロセッサ２２４は、ＭＡＣレイヤにデータを提供する前に、本来送信されたデータをデコードするために、コードシンボルＬＬＲのシーケンスを使用する。
【００４０】
ＳＤＭＡダウンリンクプロトコルは、以下のステップを含んでいてもよい：
（１）すべての潜在的なＳＤＭＡ受信機からのチャネル状態情報（ＣＳＩ）を要求および受信すること；
（２）ダウンリンクＳＤＭＡパケット構築および送信と、ブロック肯定応答（ＡＣＫ）送信時間仕様；ならびに、
（３）ＳＤＭＡ送信の受信局（ＳＴＡ）によるブロックＡＣＫ送信と、ＣＳＩ推定のための方法。
【００４１】
本開示の１つの観点において、単一の送信を使用して複数のＳＴＡと通信するＡＰのためのアプローチは、ＡＰが、マルチキャストメッセージを複数のＳＴＡに送ることを含むであろう。次に、ＡＰは、マルチキャストメッセージ中で要求される情報だけでなく、要求された情報を送信する際にＳＴＡによって使用されることになる方法およびパラメータも指定する。本開示の１つの観点において、ＡＰは、ＩＥＥＥ８０２．１１において指定されているようなＥＤＣＡを使用して、マルチキャストメッセージの送信時間を決定するであろう。
【００４２】
図３は、アップリンクまたはダウンリンクのＭＵ−ＭＩＭＯトランザクションのためのさまざまなパラメータを伝達するのに必要な構造を含む制御メッセージ構造３００を図示する。本開示の１つの観点において、制御メッセージ構造３００は、２つの部分を含み、２つの部分は、すべてのＳＴＡのための制御パラメータを有する第１の部分と、各ＳＴＡに固有の制御パラメータを有する第２の部分とである。構造は、ＡＰが、ＭＵ−ＭＩＭＯトランザクションの一部である各ＳＴＡに対する十分な情報とともに、単一の制御メッセージを複数の局に送ることを可能にする。したがって、単一のフレーム構造は、アップリンクおよびダウンリンクのＭＵ−ＭＩＭＯ通信の両方に対して、効果的に動作するように設計されている。
【００４３】
１つの観点において、制御メッセージ構造３００は、共通情報（ＣＩ）フィールド３２０とも呼ばれる、以下の共通のＳＴＡフィールドを含む：
ａ．タイプフィールド４０１：要求メッセージの目的を示す；
ｂ．ＴｘＯＰフィールド４０２：タイプフィールドに基づく時間値―すなわち、ＴｘＯＰフィールド９０２中の量の利用は、タイプ表示に依存する；
ｃ．積重ねられたＣＴＳフィールド４０３：ＳＴＡが同時に（積重ねられた）または連続的に（時間的に分離された）ＣＴＳを送信することになるかどうかを示す；
ｄ．ＭＵ−ＭＩＭＯサウンディングフィールド４０４：ＳＴＡがＭＵ−ＭＩＭＯを使用してアップリンクサウンディングを送るべきであるかどうかを示す；
ｅ．ＣＡＬビット４０５：次のフレームが、含まれている較正を交換するかどうかを示す；
ｆ．拡張ＣＰビット４０６：（ＣＴＳを除外した）応答送信が拡張ＣＰを利用するかどうかを示す；
ｇ．周波数オフセット存在フィールド４０７：周波数オフセット補正が、ＳＴＡ毎の情報に存在していることを示す；
ｈ．ＣＬ電力制御ビット４０８：設定されるとき、電力制御オフセットがＳＴＡ毎の情報フィールドに存在し、選択されたＳＴＡからの次の送信に関して使用されることになることを示す；
ｉ．レンジングビット４０９：ＳＴＡ毎の時間オフセット情報が、ＳＴＡ毎の情報フィールドに存在していることを示す；
ｊ．ＭＣＳビット４１０：設定されるとき、それは、ＳＴＡ毎の情報フィールド中に、ＭＣＳがＳＴＡ毎に指定されていることを示す；
ｋ．ＯＬ電力制御ビット４１１：設定されるとき、ＯＬ電力制御が、次のＳＴＡ送信に対して使用されることになることを示す；
ｌ．ターゲットＲｘ電力４１２：ターゲット受信電力を示す。
【００４４】
本開示の１つの観点において、図５によって図示するように、制御メッセージ構造は、ＳＴＡ−１ないしＳＴＡ−ｎに対する、Ｐｅｒ ＳＴＡ Ｉｎｆｏ（ＰＳＩ）フィールド（ＳＴＡ毎の情報フィールド）３６０とも呼ばれる、以下のＳＴＡ固有フィールドを含む：
ａ．ＳＴＡ ＩＤフィールド５０１：局の識別を示す；
ｂ．ストリーム量フィールド５０２：各ＳＴＡに対する空間ストリームの数を示す；
ｃ．Ｓｅｎｄ ＣＴＳビット５０３：設定されるとき、ＳＴＡがＣＴＳを送らなければならないことを示す；
ｄ．Ｓｅｎｄ ＳＮＤビット５０４：設定されるとき、ＳＴＡがサウンディングを送らなければならないことを示す；
ｅ．Ｓｅｎｄ ＣＱＩビット５０５：設定されるとき、ＳＴＡがＣＱＩを送らなければならないことを示す；
ｆ．周波数オフセット補正ビット５０６：存在する場合、ＳＴＡによって適用されることになる周波数補正を示す；
ｇ．電力制御ビット５０７：存在する場合、ＳＴＡ Ｔｘ電力を計算するために使用される；
ｈ．レンジング時間オフセットビット５０８：存在する場合、ＡＰでの、アップリンクＭＵ−ＭＩＭＯ送信の同期された（レンジ補正された）到着を保証するために、ＳＴＡｔｘ時間に適用される；
ｉ．ＭＣＳビット５０９：存在する場合、ＳＴＡ送信に対するＭＣＳを提案する；
ｊ．バックオフカウンタ値５１０：存在する場合、バックオフカウンタ値によって与えられる、多数のアイドルスロットに対する送信を遅らせることによる分散制御機能を使用して、アクセスをめぐって競合するＳＴＡにより使用される；ならびに、
ｋ．送信時間５１１：存在する場合、ＳＴＡは、指定された送信時間で情報を送信する。
【００４５】
本開示のさまざまな観点において、上述したビットのうちの１つ以上によって伝えられる情報は、複数のビットを含んでいてもよい１つ以上のフィールドの使用によって伝達され得る。制御メッセージング構造はまた、共通情報フィールド部分および他のＳＴＡの局毎の情報フィールに存在する他の情報、ならびに、それ自身の局毎の情報と相まって、局毎の情報フィールド中のＳＴＡの順序付けを利用することにより、各ＳＴＡが、アップリンクＭＵ−ＭＩＭＯ応答送信に対する空間ストリームインデックスを決定するアプローチをサポートするであろう。
【００４６】
本開示の１つの観点において、ＳＴＡは、共通情報フィールド部分および他のＳＴＡの局毎の情報フィールに存在する他の情報、ならびに、それ自身の局毎の情報と相まって、局毎の情報フィールド中のＳＴＡの順序付けを利用することにより、連続的に送信される応答の送信時間を決定できる。
【００４７】
制御メッセージ構造はまた、ＡＰが、ＣＴＳフレームを送るために局毎の情報フィールド中にアドレス指定されているＳＴＡの部分集合を選択する方法をサポートでき、ここで、ＳＴＡは、ＳＴＡにおける送信からの、ＡＰでの受信ＳＮＲに基づいて選択される。
【００４８】
例えば、特定のＳＴＡをターゲットとしたストリームが、他のＳＴＡにおいては低電力干渉として見なされるように、空間ストリームが形成されるので、正確なチャネル状態情報の取得は、ＳＤＭＡプロトコルの価値のある部分である。これらの非干渉ストリームを形成するために、送信ノードは、受信ＳＴＡのそれぞれからのＣＳＩを有している必要がある。
【００４９】
１つの観点において、送信ノードは、ＣＳＩを推定する必要があることを示す要求メッセージを送り出す。要求メッセージは、潜在的なＳＤＭＡ送信の受信者である１組のＳＴＡに送られる。このメッセージは、トレーニング要求メッセージ（ＴＲＭ）としても呼ばれる。ここに含まれる開示では、暗示のＣＳＩ交換と、明示のＣＳＩ交換とを使用して、ＳＤＭＡ送信機においてＣＳＩを取得するＴＲＭとして、制御メッセージ構造３００を使用してもよい。
【００５０】
制御メッセージ構造３００のデータ部分は、以下の情報を含むＳＴＡ情報フィールド５１８を含む。
【００５１】
（１）ＳＴＡ−ＩＤフィールド５０１：それに対するＣＳＩを推定することになるＳＴＡ１２０をリスト化；
（２）＃ＳＳフィールド５０２：各ＳＴＡ１２０に対する空間ストリームの数；および、
（３）レンジング情報フィールド５０８：サウンディングシンボル到着時間が、ＡＰ１１０において確実に整列されるようにして、正確なジョイントチャネル推定を確実に行う。
【００５２】
制御メッセージ構造３００はまた、ターゲットＲｘ電力フィールド４１２を含んでおり、ターゲットＲｘ電力フィールド４１２は、ＳＴＡのサウンディングフレームがＡＰ１１０においてこの電力で受信されるはずのＲｘ電力である。加えて、制御メッセージ構造３００はまた、一体化されたダウンリンク較正手順のために使用される較正ビット４０５を含んでいる。チャネル推定に適用されることになる補正係数をＡＰ１１０が更新できるように、較正は、比較的長い間隔において実行される。
【００５３】
本開示の１つの態様において、ＳＴＡ１２０は、ＴＲＭの送信電力を使用して、パス損失を推定し、アップリンクサウンディングフレームに対する送信電力を設定することから、各ＴＲＭは、固定された送信電力で送信される。ＴＲＭは、ＤＡ（ブロードキャスト）フィールド３中に、ブロードキャストアドレスに設定されている宛先アドレスを持つレガシーＭＡＣヘッダを含んでいる。宛先アドレスはまた、予め規定されたマルチキャストアドレスに設定することもできる。バックオフ手順を使用して、各ＴＲＭの送信を実行し、１つの観点では、コンテンションベースのアクセスのためにＩＥＥＥ８０２．１１ＭＡＣプロトコル中で規定されている手順を使用して、送信を実行してもよい。
【００５４】
ＭＡＣヘッダ中の持続時間／ＩＤフィールド３は、ＳＤＭＡ送信全体と、ブロックＡＣＫ受信とが、遠いところで対処されるように設定されている。本開示の１つの観点では、各ＴＲＭは、最も低いレガシー８０２．１１ａ／ｇレートで送信されるので、ワイヤレスネットワーク１００中のすべてのＳＴＡ１２０は、それらのＮＡＶを適切に設定することができる。
【００５５】
ＴＲＭ中にリスト化されているＳＴＡ１２０のそれぞれが、いったんＴＲＭを受信すると、それらはそれぞれＣＳＩで応答する。本開示のさまざまな観点では、複数のアプローチを使用して、ＳＤＭＡ送信機によりＴＲＭが送信された後にＣＳＩの推定を行ってもよい。
【００５６】
１つのアプローチにおいて、暗示のＣＳＩフィードバックプロセスが実現され、制御メッセージ構造３００中にリスト化されているＳＴＡ１２０のそれぞれは、ＴＲＭの受信に応答して、サウンディングフレームを送る。ＳＤＭＡ送信機は、受信したサウンディングフレームから、所望のＳＴＡに対するジョイントチャネルを推定する。このケースにおいて、チャネルは、可逆的であり、較正が必要であることを仮定している。このアプローチの例は、図６中で描写されており、複数のＳＴＡ６１０−１ないし６１０−５が、ＶＨＴＡＰ６０２から送信されたＴＲＭ６０４に応答して、それぞれのサウンディングフレーム６１２−１ないし６１２−５を送る。次に、いったん、送信可（ＣＴＳ）６０６が、ＶＨＴ ＡＰ６０２によって送られて、それぞれ、複数のＳＴＡ６１０−１ないし６１０−５のそれぞれへの、ＳＤＭＡデータ６０８−１ないし６０８−５の送信が保護されると、複数のＳＴＡ６１０−１ないし６１０−５はそれぞれ、それぞれのブロック肯定応答６１４−１ないし６１４−５を送ることができる。
【００５７】
他の観点において、別々のＣＴＳ送信が、サウンディングフレームの送信に先立って実行されて、個々の局の保護が強化される。２つの別々のアプローチがある。図７を参照すると、複数のＣＴＳ７５０−１ないし７５０−５が使用されて、ＶＨＴ ＡＰ７０２から送信されたＴＲＭ７０４に応答して複数のＳＴＡ７１０−１ないし７１０−５から送信される、複数のサウンディング送信７１２−１ないし７１２−５の保護が強化される。図示するように、複数のＣＴＳ７５０−１ないし７５０−５は、複数のサウンディング送信７１２−１ないし７１２−５が送られる前に、同時に送信される。いったん、送信可（ＣＴＳ）７０６が、ＶＨＴ ＡＰ ７０２によって送られて、それぞれ、複数のＳＴＡ７１０−１ないし７１０−５のそれぞれへの、ＳＤＭＡデータ７０８−１ないし７０８−５の送信が保護されると、複数のＳＴＡ７１０−１ないし７１０−５はそれぞれ、それぞれのブロック肯定応答７１４−１ないし７１４−５を送ることができる。
【００５８】
図８を参照すると、複数のＣＴＳ８５０−１ないし８５０−５が使用されて、ＶＨＴＡＰ８０２から送信されたＴＲＭ８０４に応答して複数のＳＴＡ８１０−１ないし８１０−５から送信される、複数のサウンディング送信８１２−１ないし８１２−５の保護が強化される。図示するように、複数のＣＴＳ８５０−１ないし８５０−５は、複数のサウンディング送信８１２−１ないし８１２−５が送られる前に、連続的に送信される。次に、いったん、ＣＴＳ８０６が、ＶＨＴ ＡＰ８０２によって送信されて、それぞれ、複数のＳＴＡ８１０−１ないし８１０−５のそれぞれへの、ＳＤＭＡデータ８０８−１ないし８０８−５の送信が保護されると、複数のＳＴＡ８１０−１ないし８１０−５はそれぞれ、それぞれのブロック肯定応答８１４−１ないし８１４−５を送ることができる。
【００５９】
別のアプローチにおいて、図９中で描写されているように、明示のＣＳＩフィードバックプロセスが実現され、最初に、ＡＰ９０２のようなＳＤＭＡ対応送信機が、サウンディングフレーム９２０と、ＴＲＭ９０４とを送る。ＴＲＭ９０４中に含まれているＳＴＡのリストによって識別される各受信機は、サウンディングフレーム９０６を使用してチャネルを計算し、次に、データフレーム中で、ＴＲＭ送信機（すなわち、ＡＰ９０２のＳＤＭＡ対応送信機）にＣＳＩを送り返す。複数のＳＴＡは、ＳＴＡ９１０−１ないし９１０−５として図示されており、複数のＣＳＩフィードバックは、ＣＳＩフィードバック９１２−１ないし９１２−５として図示されている。ＣＴＳフレーム９０６もまた使用されて、それぞれ、複数のＳＴＡ９１０−１ないし９１０−５のそれぞれへの、ＳＤＭＡデータ９０８−１ないし９０８−５の送信が保護される。本開示の１つの観点において、サウンディングフレーム９２０のようなサウンディングフレームは、レガシーシステムとの共存を維持するために、何らかのＴＲＭの一部として含まれていない。
【００６０】
図１０は、ＳＤＭＡプリアンブル部分１００２と、制御情報部分１００４ないし１０２６とを含むサウンディングフレーム１０００を図示する。本開示の１つの観点において、ＳＤＭＡプリアンブル部分１００２の長さは、ＴＲＭ中で指定されている空間ストリーム割り振りにより決定される。制御情報部分１００４ないし１０２６は、以下の情報を提供する：
（１）チャネル品質インジケータ（ＣＱＩ）フィールド１００４：ＣＱＩフィールド１００４は、受信したＴＲＭに対して、すべてのＲｘアンテナおよびトーンにわたって平均した、アンテナ当たりの受信ＳＮＲを含んでいる。行列構築設計がＭＭＳＥ基準に基づいている場合に、この情報により、ＳＤＭＡ送信機がプリコーディング行列を構築することが可能になる。ＣＱＩフィールド１００４中に含まれている情報により、ＳＤＭＡ送信機が、ポスト検出信号対干渉／ノイズ比（ＳＩＮＲ）を推定し、応答している各ＳＴＡに対して適切な送信レートを割り当てることも可能になる。本開示の１つの観点において、静かな期間の間に受信機の周囲の環境ノイズのレベルを測定することにより、ＣＱＩを測定することができる。
【００６１】
（２）アップリンクトラフィックバックログフィールド１００６：アップリンクトラフィックバックログフィールド１００６中に含まれる情報により、ＳＤＭＡ送信機が、アップリンクトラフィックエポックをスケジュールすること、および／または、逆方向認可（ＲＤＧ）を割り当てることが可能になる。アップリンクトラフィックバックログフィールド１００６中に含まれる情報はまた、スケジューラがタイトなスケジュールを生成させることを容易にし、それにより、ＭＡＣプロトコルの性能を最適化する。１つの観点において、アップリンクトラフィックバックログは、クラス毎のベースで提示され、ＶＯ（音声）、ＶＩ（ビデオ）、ＢＥ（ベストエフォート）、および、ＢＫ（バックグラウンド）のフィールド１０１２ないし１０１８は、４つの例示的な優先度クラスを表している。
【００６２】
（３）電力制御フィールド１０２０：ここで説明したように、電力制御フィールド１０２０中に含まれる送信電力情報は、ＳＴＡによって埋められる。
【００６３】
誤り訂正のためのＣＲＣフィールド１０２４と、テールフィールド１０２６もまた含まれている。
【００６４】
図１１は、本開示の１つの観点にしたがった装置１１００の機能性を説明するダイヤグラムである。装置１１００は、単一のフレーム中で複数のワイヤレスノードに対する送信パラメータを指定するモジュール１１０２と、単一のフレームを送信するモジュール１１０４とを含む。
【００６５】
図１２は、本開示の１つの観点にしたがった装置１２００の機能性を説明するダイヤグラムである。装置１２００は、複数のワイヤレスノードに対する送信パラメータを含んでいる単一のフレームを受信するモジュール１２０２と、送信パラメータのうちの少なくとも１つに基づいて、情報を送信するモジュール１２０４とを含む。
【００６６】
ここで開示した態様に関連して説明した、さまざまな例示的な論理ブロック、モジュール、プロセッサ、手段、回路およびアルゴリズムステップのうちの任意のものが、電子ハードウェア（例えば、ソースコーディングまたは他の何らかの技術を使用して設計してもよい、デジタルインプリメンテーション、アナログインプリメンテーション、または、２つの組み合わせ）として、（利便性のために、ここでは“ソフトウェア”または“ソフトウェアモジュール”として呼ぶことがある）命令を組み込んださまざまな形態のプログラムまたは設計コードとして、あるいは、双方の組み合わせたものとして実現してもよいことを当業者は正しく認識するであろう。ハードウェアおよびソフトウェアのこの交換可能性を明確に示すために、さまざまな例示的なコンポーネント、ブロック、モジュール、回路およびステップを、一般的にこれらの機能性に関して上記で説明した。このような機能性がハードウェアとしてあるいはソフトウェアとして実現されるか否かは、特定の応用およびシステム全体に課せられた設計の制約に依存する。当業者は、それぞれの特定の応用に対して方法を変化させて、説明した機能性を実現してもよいが、このようなインプリメンテーション決定は、本開示の範囲からの逸脱を生じさせるものとして解釈すべきではない。
【００６７】
先の説明は、当業者が本開示の完全な範囲を十分に理解することが可能になるように提供されている。ここで開示したさまざまなコンフィギュレーションに対する改良は、当業者に容易に明らかになるであろう。したがって、特許請求の範囲は、ここで説明した開示のさまざまな態様に限定されることを意図するものではなく、特許請求の範囲の文言と矛盾しない全範囲に一致させるべきである。ここで、エレメントへの単数形での参照は、そのように特に述べられていない限り、“１つおよび１つのみ”を意味することを意図しているのではなく、むしろ“１つ以上”を意味することを意図している。そうではないと特に述べられていない限り、“いくつかの”という用語は、１つ以上のことを指す。エレメントの組み合わせのうちの少なくとも１つ（例えば、Ａ、Ｂ、または、Ｃのうちの少なくとも１つ）を規定する請求項は、規定されているエレメントのうちの１つ以上（例えば、ＡまたはＢまたはＣ、あるいは、それらの何らかの組み合わせ）のことを指す。当業者に知られている、あるいは、当業者に後に知られることになる、本開示全体を通して説明したさまざまな態様のエレメントに対するすべての構造的および機能的な均等物は、参照によりここに明示的に組み込まれており、特許請求の範囲により含められることを意図している。さらに、ここで開示したものは、このような開示が特許請求の範囲中に明示的に規定されているか否かにかかわらず、公共に捧げられることを意図していない。どの請求項のエレメントも、エレメントが“ミーンズフォー”というフレーズを使用して明確に規定されない限り、または、方法の請求項のケースでは、エレメントが“ステップフォー”というフレーズを使用して規定されない限り、合衆国法典第３５部第１１２条第６パラグラフの条文の下で解釈すべきではない。
【図１】
2015208017.tif 000003
【図２】
2015208017.tif 000004
【図３】
2015208017.tif 000005
【図４】
2015208017.tif 000006
【図５】
2015208017.tif 000007
【図６】
2015208017.tif 000008
【図７】
2015208017.tif 000009
【図８】
2015208017.tif 000010
【図９】
2015208017.tif 000011
【図１０】
2015208017.tif 000012
【図１１】
2015208017.tif 000013
【図１２】
2015208017.tif 000014
【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
単一のフレーム中で、複数のワイヤレスノードに対する送信パラメータを指定することと、
前記単一のフレームを送信することとを含み、
前記送信パラメータは、
前記複数のワイヤレスノードに対して向けられている情報を含む第１の部分と、
前記複数のワイヤレスノードのそれぞれに対して特に識別されている情報を含む第２の部分とを含む方法。
【請求項２】
前記第１の部分は、
ａ．タイプフィールドと、
ｂ．前記タイプフィールドに基づく時間値を有する時間持続フィールドと、
ｃ．積重ねられたＣＴＳフィールドと、
ｄ．ＭＵ−ＭＩＭＯサウンディングフィールドと、
ｅ．ＣＡＬフィールドと、
ｆ．拡張ＣＰフィールドと、
ｇ．周波数オフセット存在フィールドと、
ｈ．ＣＬ電力制御フィールドと、
ｉ．レンジングフィールドと、
ｊ．ＭＣＳフィールドと、
ｋ．ＯＬ電力制御フィールドと、
のうちの少なくとも１つを含む請求項１記載の方法。
【請求項３】
前記第２の部分は、
ａ．ＳＴＡ ＩＤフィールドと、
ｂ．ストリーム量フィールドと、
ｃ．Ｓｅｎｄ ＣＴＳフィールドと、
ｄ．Ｓｅｎｄ ＳＮＤフィールドと、
ｅ．Ｓｅｎｄ ＣＱＩフィールドと、
ｆ．周波数オフセット補正フィールドと、
ｇ．電力制御フィールドと、
ｈ．レンジング時間オフセットフィールドと、
ｉ．ＭＣＳフィールドと、
ｊ．バックオフカウンタフィールドと、
ｋ．送信時間フィールドと、
のうちの少なくとも１つを含む請求項１記載の方法。
【請求項４】
前記送信パラメータは、前記複数のワイヤレスノードのうちの少なくとも１つに対する補正情報を含む請求項１記載の方法。
【請求項５】
前記送信パラメータは、前記複数のワイヤレスノードのうちの少なくとも１つに対する周波数オフセット情報を含む請求項１記載の方法。
【請求項６】
前記送信パラメータは、前記複数のワイヤレスノードのうちの少なくとも１つに対する電力制御情報を含む請求項１記載の方法。
【請求項７】
前記送信パラメータは、ＭＵ−ＭＩＭＯパラメータを含む請求項１記載の方法。
【請求項８】
ワイヤレス通信のための装置において、
単一のフレーム中で、複数のワイヤレスノードに対する送信パラメータを指定し、前記単一のフレームを送信するように構成され、
ここにおいて、前記送信パラメータは、
前記複数のワイヤレスノードに対して向けられている情報を含む第１の部分と、
前記複数のワイヤレスノードのそれぞれに対して特に識別されている情報を含む第２の部分とを含む処理システムを具備する装置。
【請求項９】
前記第１の部分は、
ａ．タイプフィールドと、
ｂ．前記タイプフィールドに基づく時間値を有する時間持続フィールドと、
ｃ．積重ねられたＣＴＳフィールドと、
ｄ．ＭＵ−ＭＩＭＯサウンディングフィールドと、
ｅ．ＣＡＬフィールドと、
ｆ．拡張ＣＰフィールドと、
ｇ．周波数オフセット存在フィールドと、
ｈ．ＣＬ電力制御フィールドと、
ｉ．レンジングフィールドと、
ｊ．ＭＣＳフィールドと、
ｋ．ＯＬ電力制御フィールドと、
のうちの少なくとも１つを含む請求項８記載の装置。
【請求項１０】
前記第２の部分は、
ａ．ＳＴＡ ＩＤフィールドと、
ｂ．ストリーム量フィールドと、
ｃ．Ｓｅｎｄ ＣＴＳフィールドと、
ｄ．Ｓｅｎｄ ＳＮＤフィールドと、
ｅ．Ｓｅｎｄ ＣＱＩフィールドと、
ｆ．周波数オフセット補正フィールドと、
ｇ．電力制御フィールドと、
ｈ．レンジング時間オフセットフィールドと、
ｉ．ＭＣＳフィールドと、
ｊ．バックオフカウンタフィールドと、
ｋ．送信時間フィールドと、
のうちの少なくとも１つを含む請求項８記載の装置。
【請求項１１】
前記送信パラメータは、前記複数のワイヤレスノードのうちの少なくとも１つに対する補正情報を含む請求項８記載の装置。
【請求項１２】
前記送信パラメータは、前記複数のワイヤレスノードのうちの少なくとも１つに対する周波数オフセット情報を含む請求項８記載の装置。
【請求項１３】
前記送信パラメータは、前記複数のワイヤレスノードのうちの少なくとも１つに対する電力制御情報を含む請求項８記載の装置。
【請求項１４】
前記送信パラメータは、ＭＵ−ＭＩＭＯパラメータを含む請求項８記載の装置。
【請求項１５】
ワイヤレス通信のための装置において、
単一のフレーム中で、複数のワイヤレスノードに対する送信パラメータを指定する手段と、
前記単一のフレームを送信する手段とを具備し、
ここにおいて、前記送信パラメータは、
前記複数のワイヤレスノードに対して向けられている情報を含む第１の部分と、
前記複数のワイヤレスノードのそれぞれに対して特に識別されている情報を含む第２の部分とを含む装置。
【請求項１６】
前記第１の部分は、
ａ．タイプフィールドと、
ｂ．前記タイプフィールドに基づく時間値を有する時間持続フィールドと、
ｃ．積重ねられたＣＴＳフィールドと、
ｄ．ＭＵ−ＭＩＭＯサウンディングフィールドと、
ｅ．ＣＡＬフィールドと、
ｆ．拡張ＣＰフィールドと、
ｇ．周波数オフセット存在フィールドと、
ｈ．ＣＬ電力制御フィールドと、
ｉ．レンジングフィールドと、
ｊ．ＭＣＳフィールドと、
ＯＬ電力制御フィールドと、
のうちの少なくとも１つを含む請求項１５記載の装置。
【請求項１７】
前記第２の部分は、
ａ．ＳＴＡ ＩＤフィールドと、
ｂ．ストリーム量フィールドと、
ｃ．Ｓｅｎｄ ＣＴＳフィールドと、
ｄ．Ｓｅｎｄ ＳＮＤフィールドと、
ｅ．Ｓｅｎｄ ＣＱＩフィールドと、
ｆ．周波数オフセット補正フィールドと、
ｇ．電力制御フィールドと、
ｈ．レンジング時間オフセットフィールドと、
ｉ．ＭＣＳフィールドと、
ｊ．バックオフカウンタフィールドと、
送信時間フィールドと、
のうちの少なくとも１つを含む請求項１５記載の装置。
【請求項１８】
前記送信パラメータは、前記複数のワイヤレスノードのうちの少なくとも１つに対する補正情報を含む請求項１５記載の装置。
【請求項１９】
前記送信パラメータは、前記複数のワイヤレスノードのうちの少なくとも１つに対する周波数オフセット情報を含む請求項１５記載の装置。
【請求項２０】
前記送信パラメータは、前記複数のワイヤレスノードのうちの少なくとも１つに対する電力制御情報を含む請求項１５記載の装置。
【請求項２１】
前記送信パラメータは、ＭＵ−ＭＩＭＯパラメータを含む請求項１５記載の装置。
【請求項２２】
ワイヤレス通信のためのコンピュータプログラムプロダクトにおいて、
単一のフレーム中で、複数のワイヤレスノードに対する送信パラメータを指定し、前記単一のフレームを送信するように実行可能な命令で符号化されたコンピュータ可読記憶媒体を具備し、
ここにおいて、前記送信パラメータは、
前記複数のワイヤレスノードに対して向けられている情報を含む第１の部分と、
前記複数のワイヤレスノードのそれぞれに対して特に識別されている情報を含む第２の部分とを含むコンピュータプログラムプロダクト。
【請求項２３】
アクセスポイントにおいて、
１つ以上のアンテナと、
単一のフレーム中で、複数のワイヤレスノードに対する送信パラメータを指定するように構成されているプロセッサと、
前記１つ以上のアンテナを使用して、前記単一のフレームを送信するように構成されている送信機とを具備し、
ここにおいて、前記送信パラメータは、
前記複数のワイヤレスノードに対して向けられている情報を含む第１の部分と、
前記複数のワイヤレスノードのそれぞれに対して特に識別されている情報を含む第２の部分とを含むアクセスポイント。
【請求項２４】
ワイヤレス通信のための方法において、
複数のワイヤレスノードに対する送信パラメータを含んでいる単一のフレームを受信することと、
前記送信パラメータのうちの少なくとも１つに基づいて、情報を送信することとを含み、
ここにおいて、前記送信パラメータは、
前記複数のワイヤレスノードに対して向けられている情報を含む第１の部分と、
前記複数のワイヤレスノードのそれぞれに対して特に識別されている情報を含む第２の部分とを含む方法。
【請求項２５】
前記送信パラメータは、送信の順序を含む請求項２４記載の方法。
【請求項２６】
前記送信パラメータは、空間ストリーム識別子を含む請求項２４記載の方法。
【請求項２７】
前記空間ストリーム識別子は、送信の順序に基づいている請求項２６記載の方法。
【請求項２８】
前記送信パラメータは、バックオフカウンタ値を含み、前記バックオフカウンタ値に基づいて、送信をめぐって競合することをさらに含む請求項２４記載の方法。
【請求項２９】
前記送信をめぐって競合することは、多数のアイドルスロットに対する送信を遅らせることを含む請求項２８記載の方法。
【請求項３０】
前記送信パラメータは、送信時間を含み、前記情報の送信は、前記送信時間において情報を送信することを含む請求項２４記載の方法。
【請求項３１】
ワイヤレス通信のための装置において、
少なくとも１つのワイヤレスノードと前記装置とに対する送信パラメータを含んでいる単一のフレームを受信し、前記送信パラメータのうちの少なくとも１つに基づいて、情報を送信するように構成され、
ここにおいて、前記送信パラメータは、
前記少なくとも１つのワイヤレスノード及び前記装置に対して向けられている情報を含む第１の部分と、
前記少なくとも１つのワイヤレスノード及び前記装置のそれぞれに対して特に識別されている情報を含む第２の部分とを含む処理システムを具備する装置。
【請求項３２】
前記送信パラメータは、送信の順序を含む請求項３１記載の装置。
【請求項３３】
前記送信パラメータは、空間ストリーム識別子を含む請求項３１記載の装置。
【請求項３４】
前記空間ストリーム識別子は、送信の順序に基づいている請求項３３記載の装置。
【請求項３５】
前記送信パラメータは、バックオフカウンタ値を含み、前記処理システムは、前記バックオフカウンタ値に基づいて、送信をめぐって競合するようにさらに構成されている請求項３１記載の装置。
【請求項３６】
前記処理システムは、多数のアイドルスロットに対する送信を遅らせるようにさらに構成されている請求項３５記載の装置。
【請求項３７】
前記送信パラメータは、送信時間を含み、前記処理システムは、前記送信時間において情報を送信するようにさらに構成されている請求項３１記載の装置。
【請求項３８】
ワイヤレス通信のための装置において、
少なくとも１つのワイヤレスノードと前記装置とに対する送信パラメータを含んでいる単一のフレームを受信する手段と、
前記送信パラメータのうちの少なくとも１つに基づいて、情報を送信する手段とを具備し、
ここにおいて、前記送信パラメータは、
前記少なくとも１つのワイヤレスノード及び前記装置に対して向けられている情報を含む第１の部分と、
前記少なくとも１つのワイヤレスノード及び前記装置のそれぞれに対して特に識別されている情報を含む第２の部分とを含む装置。
【請求項３９】
前記送信パラメータは、送信の順序を含む請求項３８記載の装置。
【請求項４０】
前記送信パラメータは、空間ストリーム識別子を含む請求項３８記載の装置。
【請求項４１】
前記空間ストリーム識別子は、送信の順序に基づいている請求項４０記載の装置。
【請求項４２】
前記送信パラメータは、バックオフカウンタ値を含み、前記バックオフカウンタ値に基づいて、送信をめぐって競合するように構成されている競合手段をさらに具備する請求項３８記載の装置。
【請求項４３】
多数のアイドルスロットに対する送信を遅らせる延期手段をさらに具備する請求項３８記載の装置。
【請求項４４】
前記送信パラメータは、送信時間を含み、前記処理システムは、前記送信時間において情報を送信するようにさらに構成されている請求項３８記載の装置。
【請求項４５】
ワイヤレス通信のためのコンピュータプログラムプロダクトにおいて、
複数のワイヤレスノードに対する送信パラメータを含んでいる単一のフレームを受信し、前記送信パラメータのうちの少なくとも１つに基づいて、情報を送信するように実行可能な命令でエンコードされたコンピュータ可読記憶媒体を具備し、
ここにおいて、前記送信パラメータは、
前記複数のワイヤレスノードに対して向けられている情報を含む第１の部分と、
前記複数のワイヤレスノードのそれぞれに対して特に識別されている情報を含む第２の部分とを含むコンピュータプログラムプロダクト。
【請求項４６】
アクセス端末において、
１つ以上のアンテナと、
少なくとも１つのワイヤレスノードと前記アクセス端末とに対する送信パラメータを含んでいる単一のフレームを受信するように構成されている受信機と、
前記送信パラメータのうちの少なくとも１つに基づいて、前記１つ以上のアンテナを使用して、情報を送信するように構成されている送信機とを具備し、
ここにおいて、前記送信パラメータは、
前記少なくとも１つのワイヤレスノード及び前記アクセス端末に対して向けられている情報を含む第１の部分と、
前記少なくとも１つのワイヤレスノード及び前記アクセス端末のそれぞれに対して特に識別されている情報を含む第２の部分とを含むアクセス端末。
【請求項４７】
電子カードにおいて、
少なくとも１つのワイヤレスノードと前記電子カードとに対する送信パラメータを含んでいる単一のフレームを受信するように構成されている受信機と、
前記送信パラメータのうちの少なくとも１つに基づいて、情報を送信するように構成されている送信機とを具備し、
ここにおいて、前記送信パラメータは、
前記少なくとも１つのワイヤレスノード及び前記電子カードに対して向けられている情報を含む第１の部分と、
前記少なくとも１つのワイヤレスノード及び前記電子カードのそれぞれに対して特に識別されている情報を含む第２の部分とを含む電子カード。
【手続補正２】
【補正対象書類名】明細書
【補正対象項目名】００６７
【補正方法】変更
【補正の内容】
【００６７】
先の説明は、当業者が本開示の完全な範囲を十分に理解することが可能になるように提供されている。ここで開示したさまざまなコンフィギュレーションに対する改良は、当業者に容易に明らかになるであろう。したがって、特許請求の範囲は、ここで説明した開示のさまざまな態様に限定されることを意図するものではなく、特許請求の範囲の文言と矛盾しない全範囲に一致させるべきである。ここで、エレメントへの単数形での参照は、そのように特に述べられていない限り、“１つおよび１つのみ”を意味することを意図しているのではなく、むしろ“１つ以上”を意味することを意図している。そうではないと特に述べられていない限り、“いくつかの”という用語は、１つ以上のことを指す。エレメントの組み合わせのうちの少なくとも１つ（例えば、Ａ、Ｂ、または、Ｃのうちの少なくとも１つ）を規定する請求項は、規定されているエレメントのうちの１つ以上（例えば、ＡまたはＢまたはＣ、あるいは、それらの何らかの組み合わせ）のことを指す。当業者に知られている、あるいは、当業者に後に知られることになる、本開示全体を通して説明したさまざまな態様のエレメントに対するすべての構造的および機能的な均等物は、参照によりここに明示的に組み込まれており、特許請求の範囲により含められることを意図している。さらに、ここで開示したものは、このような開示が特許請求の範囲中に明示的に規定されているか否かにかかわらず、公共に捧げられることを意図していない。どの請求項のエレメントも、エレメントが“ミーンズフォー”というフレーズを使用して明確に規定されない限り、または、方法の請求項のケースでは、エレメントが“ステップフォー”というフレーズを使用して規定されない限り、合衆国法典第３５部第１１２条第６パラグラフの条文の下で解釈すべきではない。 
以下に、出願当初の特許請求の範囲を付記する。  
[付記]  
[Ｃ１]
ワイヤレス通信のための方法において、
単一のフレーム中で、複数のワイヤレスノードに対する送信パラメータを指定することと、
前記単一のフレームを送信することとを含む方法。
[Ｃ２]
前記送信パラメータは、
前記複数のワイヤレスノードに対して向けられている情報を含む第１の部分と、
前記複数のワイヤレスノードのそれぞれに対して特に識別されている情報を含む第２の部分とを含むＣ１に記載の方法。
[Ｃ３]
前記第１の部分は、
ａ．タイプフィールドと、
ｂ．前記タイプフィールドに基づく時間値を有する時間持続フィールドと、
ｃ．積重ねられたＣＴＳフィールドと、
ｄ．ＭＵ−ＭＩＭＯサウンディングフィールドと、
ｅ．ＣＡＬフィールドと、
ｆ．拡張ＣＰフィールドと、
ｇ．周波数オフセット存在フィールドと、
ｈ．ＣＬ電力制御フィールドと、
ｉ．レンジングフィールドと、
ｊ．ＭＣＳフィールドと、
ｋ．ＯＬ電力制御フィールドと、
のうちの少なくとも１つを含むＣ２に記載の方法。
[Ｃ４]
前記第２の部分は、
ａ．ＳＴＡ ＩＤフィールドと、
ｂ．ストリーム量フィールドと、
ｃ．Ｓｅｎｄ ＣＴＳフィールドと、
ｄ．Ｓｅｎｄ ＳＮＤフィールドと、
ｅ．Ｓｅｎｄ ＣＱＩフィールドと、
ｆ．周波数オフセット補正フィールドと、
ｇ．電力制御フィールドと、
ｈ．レンジング時間オフセットフィールドと、
ｉ．ＭＣＳフィールドと、
ｊ．バックオフカウンタフィールドと、
ｋ．送信時間フィールドと、
のうちの少なくとも１つを含むＣ２に記載の方法。
[Ｃ５]
前記送信パラメータは、前記複数のワイヤレスノードのうちの少なくとも１つに対する補正情報を含むＣ１に記載の方法。
[Ｃ６]
前記送信は、前記複数のワイヤレスノードのうちの少なくとも１つに対する周波数オフセット情報を含むＣ１に記載の方法。
[Ｃ７]
前記送信は、前記複数のワイヤレスノードのうちの少なくとも１つに対する電力制御情報を含むＣ１に記載の方法。
[Ｃ８]
前記送信パラメータは、ＭＵ−ＭＩＭＯパラメータを含むＣ１に記載の方法。
[Ｃ９]
ワイヤレス通信のための装置において、
単一のフレーム中で、複数のワイヤレスノードに対する送信パラメータを指定し、前記単一のフレームを送信するように構成されている処理システムを具備する装置。
[Ｃ１０]
前記送信パラメータは、
前記複数のワイヤレスノードに対して向けられている情報を含む第１の部分と、
前記複数のワイヤレスノードのそれぞれに対して特に識別されている情報を含む第２の部分とを含むＣ９に記載の装置。
[Ｃ１１]
前記第１の部分は、
ａ．タイプフィールドと、
ｂ．前記タイプフィールドに基づく時間値を有する時間持続フィールドと、
ｃ．積重ねられたＣＴＳフィールドと、
ｄ．ＭＵ−ＭＩＭＯサウンディングフィールドと、
ｅ．ＣＡＬフィールドと、
ｆ．拡張ＣＰフィールドと、
ｇ．周波数オフセット存在フィールドと、
ｈ．ＣＬ電力制御フィールドと、
ｉ．レンジングフィールドと、
ｊ．ＭＣＳフィールドと、
ｋ．ＯＬ電力制御フィールドと、
のうちの少なくとも１つを含むＣ１０に記載の装置。
[Ｃ１２]
前記第２の部分は、
ａ．ＳＴＡ ＩＤフィールドと、
ｂ．ストリーム量フィールドと、
ｃ．Ｓｅｎｄ ＣＴＳフィールドと、
ｄ．Ｓｅｎｄ ＳＮＤフィールドと、
ｅ．Ｓｅｎｄ ＣＱＩフィールドと、
ｆ．周波数オフセット補正フィールドと、
ｇ．電力制御フィールドと、
ｈ．レンジング時間オフセットフィールドと、
ｉ．ＭＣＳフィールドと、
ｊ．バックオフカウンタフィールドと、
ｋ．送信時間フィールドと、
のうちの少なくとも１つを含むＣ１０に記載の装置。
[Ｃ１３]
前記送信パラメータは、前記複数のワイヤレスノードのうちの少なくとも１つに対する補正情報を含むＣ９に記載の装置。
[Ｃ１４]
前記送信は、前記複数のワイヤレスノードのうちの少なくとも１つに対する周波数オフセット情報を含むＣ９に記載の装置。
[Ｃ１５]
前記送信は、前記複数のワイヤレスノードのうちの少なくとも１つに対する電力制御情報を含むＣ９に記載の装置。
[Ｃ１６]
前記送信パラメータは、ＭＵ−ＭＩＭＯパラメータを含むＣ９に記載の装置。
[Ｃ１７]
ワイヤレス通信のための装置において、
単一のフレーム中で、複数のワイヤレスノードに対する送信パラメータを指定する手段と、
前記単一のフレームを送信する手段とを具備する装置。
[Ｃ１８]
前記送信パラメータは、
前記複数のワイヤレスノードに対して向けられている情報を含む第１の部分と、
前記複数のワイヤレスノードのそれぞれに対して特に識別されている情報を含む第２の部分とを含むＣ１７に記載の装置。
[Ｃ１９]
前記第１の部分は、
ａ．タイプフィールドと、
ｂ．前記タイプフィールドに基づく時間値を有する時間持続フィールドと、
ｃ．積重ねられたＣＴＳフィールドと、
ｄ．ＭＵ−ＭＩＭＯサウンディングフィールドと、
ｅ．ＣＡＬフィールドと、
ｆ．拡張ＣＰフィールドと、
ｇ．周波数オフセット存在フィールドと、
ｈ．ＣＬ電力制御フィールドと、
ｉ．レンジングフィールドと、
ｊ．ＭＣＳフィールドと、
ｋ．ＯＬ電力制御フィールドと、
のうちの少なくとも１つを含むＣ１８に記載の装置。
[Ｃ２０]
前記第２の部分は、
ａ．ＳＴＡ ＩＤフィールドと、
ｂ．ストリーム量フィールドと、
ｃ．Ｓｅｎｄ ＣＴＳフィールドと、
ｄ．Ｓｅｎｄ ＳＮＤフィールドと、
ｅ．Ｓｅｎｄ ＣＱＩフィールドと、
ｆ．周波数オフセット補正フィールドと、
ｇ．電力制御フィールドと、
ｈ．レンジング時間オフセットフィールドと、
ｉ．ＭＣＳフィールドと、
ｊ．バックオフカウンタフィールドと、
ｋ．送信時間フィールドと、
のうちの少なくとも１つを含むＣ１８に記載の装置。
[Ｃ２１]
前記送信パラメータは、前記複数のワイヤレスノードのうちの少なくとも１つに対する補正情報を含むＣ１７に記載の装置。
[Ｃ２２]
前記送信は、前記複数のワイヤレスノードのうちの少なくとも１つに対する周波数オフセット情報を含むＣ１７に記載の装置。
[Ｃ２３]
前記送信は、前記複数のワイヤレスノードのうちの少なくとも１つに対する電力制御情報を含むＣ１７に記載の装置。
[Ｃ２４]
前記送信パラメータは、ＭＵ−ＭＩＭＯパラメータを含むＣ１７に記載の装置。
[Ｃ２５]
ワイヤレス通信のためのコンピュータプログラムプロダクトにおいて、
単一のフレーム中で、複数のワイヤレスノードに対する送信パラメータを指定し、前記単一のフレームを送信するように実行可能な命令を含む機械読み取り可能媒体を具備するコンピュータプログラムプロダクト。
[Ｃ２６]
アクセスポイントにおいて、
１つ以上のアンテナと、
単一のフレーム中で、複数のワイヤレスノードに対する送信パラメータを指定するように構成されているプロセッサと、
前記１つ以上のアンテナを使用して、前記単一のフレームを送信するように構成されている送信機とを具備するアクセスポイント。
[Ｃ２７]
ワイヤレス通信のための方法において、
複数のワイヤレスノードに対する送信パラメータを含んでいる単一のフレームを受信することと、
前記送信パラメータのうちの少なくとも１つに基づいて、情報を送信することとを含む方法。
[Ｃ２８]
前記送信パラメータは、送信の順序を含むＣ２７に記載の方法。
[Ｃ２９]
前記送信パラメータは、空間ストリーム識別子を含むＣ２７に記載の方法。
[Ｃ３０]
前記空間ストリーム識別子は、送信の順序に基づいているＣ２９に記載の方法。
[Ｃ３１]
前記送信パラメータは、バックオフカウンタ値を含み、前記バックオフカウンタ値に基づいて、送信をめぐって競合することをさらに含むＣ２７に記載の方法。
[Ｃ３２]
前記送信をめぐって競合することは、多数のアイドルスロットに対する送信を遅らせることを含むＣ３１に記載の方法。
[Ｃ３３]
前記送信パラメータは、送信時間を含み、前記情報の送信は、前記送信時間において情報を送信することを含むＣ２７に記載の方法。
[Ｃ３４]
前記送信パラメータは、
前記複数のワイヤレスノードに対して向けられている情報を含む第１の部分と、
前記複数のワイヤレスノードのそれぞれに対して特に識別されている情報を含む第２の部分とを含むＣ２７に記載の方法。
[Ｃ３５]
ワイヤレス通信のための装置において、
少なくとも１つのワイヤレスノードと前記装置とに対する送信パラメータを含んでいる単一のフレームを受信し、前記送信パラメータのうちの少なくとも１つに基づいて、情報を送信するように構成されている処理システムを具備する装置。
[Ｃ３６]
前記送信パラメータは、送信の順序を含むＣ３５に記載の装置。
[Ｃ３７]
前記送信パラメータは、空間ストリーム識別子を含むＣ３５に記載の装置。
[Ｃ３８]
前記空間ストリーム識別子は、送信の順序に基づいているＣ３７に記載の装置。
[Ｃ３９]
前記送信パラメータは、バックオフカウンタ値を含み、前記処理システムは、前記バックオフカウンタ値に基づいて、送信をめぐって競合するようにさらに構成されているＣ３５に記載の装置。
[Ｃ４０]
前記処理システムは、多数のアイドルスロットに対する送信を遅らせるようにさらに構成されているＣ３９に記載の装置。
[Ｃ４１]
前記送信パラメータは、送信時間を含み、前記処理システムは、前記送信時間において情報を送信するようにさらに構成されているＣ３５に記載の装置。
[Ｃ４２]
前記送信パラメータは、
前記少なくとも１つのワイヤレスノードと前記装置とに対して向けられている情報を含む第１の部分と、
前記少なくとも１つのワイヤレスノードと、前記装置とのそれぞれに対して特に識別されている情報を含む第２の部分とを含むＣ３５に記載の装置。
[Ｃ４３]
ワイヤレス通信のための装置において、
少なくとも１つのワイヤレスノードと前記装置とに対する送信パラメータを含んでいる単一のフレームを受信する手段と、
前記送信パラメータのうちの少なくとも１つに基づいて、情報を送信する手段とを具備する装置。
[Ｃ４４]
前記送信パラメータは、送信の順序を含むＣ４３に記載の装置。
[Ｃ４５]
前記送信パラメータは、空間ストリーム識別子を含むＣ４３に記載の装置。
[Ｃ４６]
前記空間ストリーム識別子は、送信の順序に基づいているＣ４５に記載の装置。
[Ｃ４７]
前記送信パラメータは、バックオフカウンタ値を含み、前記バックオフカウンタ値に基づいて、送信をめぐって競合するように構成されている競合手段をさらに具備するＣ４３に記載の装置。
[Ｃ４８]
多数のアイドルスロットに対する送信を遅らせる延期手段をさらに具備するＣ４７に記載の装置。
[Ｃ４９]
前記送信パラメータは、送信時間を含み、前記処理システムは、前記送信時間において情報を送信するようにさらに構成されているＣ４３に記載の装置。
[Ｃ５０]
前記送信パラメータは、
前記少なくとも１つのワイヤレスノードと前記装置とに対して向けられている情報を含む第１の部分と、
前記少なくとも１つのワイヤレスノードと、前記装置とのそれぞれに対して特に識別されている情報を含む第２の部分とを含むＣ４３に記載の装置。
[Ｃ５１]
ワイヤレス通信のためのコンピュータプログラムプロダクトにおいて、
複数のワイヤレスノードに対する送信パラメータを含んでいる単一のフレームを受信し、前記送信パラメータのうちの少なくとも１つに基づいて、情報を送信するように実行可能な命令を含む機械読み取り可能媒体を具備するコンピュータプログラムプロダクト。
[Ｃ５２]
アクセス端末において、
１つ以上のアンテナと、
少なくとも１つのワイヤレスノードと前記アクセス端末とに対する送信パラメータを含んでいる単一のフレームを受信するように構成されている受信機と、
前記送信パラメータのうちの少なくとも１つに基づいて、前記１つ以上のアンテナを使用して、情報を送信するように構成されている送信機とを具備するアクセス端末。
[Ｃ５３]
電子カードにおいて、
少なくとも１つのワイヤレスノードと前記電子カードとに対する送信パラメータを含んでいる単一のフレームを受信するように構成されている受信機と、
前記送信パラメータのうちの少なくとも１つに基づいて、情報を送信するように構成されている送信機とを具備する電子カード。
【外国語明細書】
2015208017000001.pdf